(57)【特許請求の範囲】
【請求項１】
段差部の高位置と低位置とを移動するために用いられる昇降用椅子であって、
上記低位置に設置され内部にエレベータ機構が設けられた基体と、
角筒状に形成され上記基体に順次上下動可能に外装されていて、上記エレベータ機構によって上記基体に対して順次上昇方向に駆動される第１の上下可動体及び第２の上下可動体と、
上記第２の上下可動体の上面に取り付けられた固定盤及びこの固定盤に回転可能に連結された回転盤からなる回転機構と、
この回転機構の上記回転盤に下面が取付けられ上記第２の上下可動体の上面で水平方向に回転可能な座部体と、
上記第２の上下可動体の上部に一端部が取付け固定され他端部が下方に向かって延出された取付け部材と、
この取付け部材の他端部に回動可能に設けられ上記座部体に着座した利用者が足を載せる倒伏位置と上方向に回動させた起上位置とで保持可能な足載せ体と
を具備したことを特徴とする昇降用椅子。
【請求項２】
上記基体は、その下端の幅方向両側に幅方向と交差する前後方向に沿って設けられた細長い角筒状の一対の脚部材によって支持されていて、一対の脚部材の両端部は、上記足載体が倒伏位置にある状態で上記可動体が下降したときに、この足載体の幅方向の両端部と脚部材の長手方向の端部との間に利用者の上記足載体に載置した足を降ろすことができる空間部が形成されるよう、上記基体の幅方向外方に向かって湾曲されていることを特徴とする請求項１記載の昇降用椅子。
【請求項３】
上記座部体には背凭れが設けられ、この背凭れには肘掛け体が上下方向に回動可能かつ水平に倒伏させた倒伏位置と上方に回動させた上昇位置とで保持可能に設けられていることを特徴とする請求項１記載の昇降用椅子。
【発明の詳細な説明】
【技術分野】
【０００１】
この発明はたとえば足腰の不自由な人が段差部を移動するときに用いるための昇降用椅子に関する。
【背景技術】
【０００２】
家屋内には、たとえば玄関の土間と上がり床のように段差部があり、老人や足腰の不自由な人、或いは車椅子の利用者などにとっては上記段差部の昇り降りが困難なことがある。たとえば、車椅子の利用者の場合、室内用と室内用の車椅子に乗り換えるために、上記段差部を移動しなければならない。その際、介助者が車椅子の利用者抱きかかえるなどして所定の車椅子に移乗させなければならないから、介助者には大きな負担となる。
【０００３】
そこで、段差部のある壁面に手摺を設け、この手摺に掴まって段差部を昇り降りしたり、上記段差部の低位置（土間）に、段差部の高位置（上がり床）よりも低い高さの踏み台を設け、この踏み台を利用して段差部の移動を楽に行なえるようにしている。
【発明の開示】
【発明が解決しようとする課題】
【０００４】
ある程度の握力や脚力などの体力を有する老人などにとっては、手摺や踏み台を利用することで、段差部の昇り降りを行なうことは可能である。しかしながら、手摺を利用して段差部を昇り降りする際には手摺をしっかりと把持する握力が要求されることになるから、握力の低下した老人などは上記段差部の昇り降りを確実に行なうことができないことがある。
【０００５】
しかも、手摺や踏み台のいずれを利用する場合であっても、たとえば足首や膝などの下肢或いは腰などが不自由で、脚力が十分でない利用者、たとえば車椅子の利用者などの場合、段差部を昇り降りする際に、下半身に力を入れることができないから、段差部の昇り降りを容易に行なうことができないということがあった。
【０００６】
この発明は、身体が不自由であったり、体力が十分でない病人や老人などであっても、段差部の移動を比較的楽に行なうことができるようにした昇降用椅子を提供することにある。
【課題を解決するための手段】
【０００７】
この発明は、段差部の高位置と低位置とを移動するために用いられる昇降用椅子であって、
上記低位置に設置され内部にエレベータ機構が設けられた基体と、
角筒状に形成され上記基体に順次上下動可能に外装されていて、上記エレベータ機構によって上記基体に対して順次上昇方向に駆動される第１の上下可動体及び第２の上下可動体と、
上記第２の上下可動体の上面に取り付けられた固定盤及びこの固定盤に回転可能に連結された回転盤からなる回転機構と、
この回転機構の上記回転盤に下面が取付けられ上記第２の上下可動体の上面で水平方向に回転可能な座部体と、
上記第２の上下可動体の上部に一端部が取付け固定され他端部が下方に向かって延出された取付け部材と、
この取付け部材の他端部に回動可能に設けられ上記座部体に着座した利用者が足を載せる倒伏位置と上方向に回動させた起上位置とで保持可能な足載せ体と
を具備したことを特徴とする昇降用椅子にある。
【０００８】
上記基体は、その下端の幅方向両側に幅方向と交差する前後方向に沿って設けられた細長い角筒状の一対の脚部材によって支持されていて、一対の脚部材の両端部は、上記足載体が倒伏位置にある状態で上記可動体が下降したときに、この足載体の幅方向の両端部と脚部材の長手方向の端部との間に利用者の上記足載体に載置した足を降ろすことができる空間部が形成されるよう、上記基体の幅方向外方に向かって湾曲されていることが好ましい。
【０００９】
上記座部体には背凭れが設けられ、この背凭れには肘掛け体が上下方向に回動可能かつ水平に倒伏させた倒伏位置と上方に回動させた上昇位置とで保持可能に設けられていることが好ましい。
【発明の効果】
【００１０】
この発明によれば、段差部の高位置或いは低位置のどちらか一方で利用者が座部体に着座したならば、段差部の高位置或いは低位置の他方で利用者が立ち上がり易いよう座部体の高さを変えることで、利用者は足腰に大きな負担を掛けることなく、段差部を移動することができる。
【発明を実施するための最良の形態】
【００１１】
以下、この発明の一実施の形態を図面を参照して説明する。  
図１と図２に示すこの発明の昇降用椅子は基体１を備えている。この基体１の幅方向両側には脚部材２が両端部を上記基体１の前後方向に突出させて設けられている。一対の脚部材２の上記基体１の前面側と背面側に突出した両端部は、図５と図６に示すように、基体１の幅方向外方に向かって湾曲された湾曲部２ａに形成されている。４つの湾曲部２ａの先端部下面には高さ調整部材５が高さ調整可能に螺合されている。それによって、上記基体１は脚部材２に設けられた４つの高さ調整部材５によって水平度を調整して設置できるようになっている。
【００１２】
上記基体１は図２（ｂ）に示すように、たとえば段差部の低位置である、玄関の土間Ｘに、高位置である上がり床Ｙに近接して設置される。基体１は土間Ｘに上記受け部材５の高さを調整することで、がたつくことがないよう水平に設置される。
【００１３】
上記基体１は角筒状に形成されている。この基体１には、基体１よりもわずかに大きな角筒状の第１の上下可動体３が上下動可能に外装されている。この第１の上下可動体３には第１の上下可動体３よりもわずかに大きな第２の上下可動体４が上下動可能に設けられている。
【００１４】
上記基体１内には図示しないエレベータ機構が設けられていて、このエレベータ機構を図示しないリモートコントローラによって操作することで、図３に示すように上記基体１に対して上記第１の上下可動体３と第２の上下可動体４を順次上昇させることができるようになっている。なお、第１、第２の上下可動体３，４は上昇限と下降限との途中の任意の高さ位置で停止させることができるようになっている。
【００１５】
上記第２の上下可動体４の上端には回転機構６によって座部体７が回転可能に設けられている。上記回転機構６は上記第２の上下可動体４の上面に取り付けられた固定盤８と、この固定盤８に回転可能に連結されて上記座部体７の下面に取り付けられた回転盤９とによって構成されている。それによって、上記座部体７は上記第２の上下可動体４の上面で水平方向に回転可能となっている。
【００１６】
上記回転盤９の回転は図示せぬストッパ機構によって９０度ごとに回転不能に保持されるようになっていて、このストッパ機構による上記回転盤９の保持状態は、上記座部体７の後端部の幅方向両側に設けられた一対の解除レバー１１を後方へ倒すことで解除されるようになっている。
【００１７】
上記座部体７の上面にはシート状の座クッション体１２が設けられている。さらに、座部体７の後端部には背凭れ１３が設けられている。この背凭れ１３は平行に立設されたパイプ材からなる一対の縦部材１４を有し、縦部材１４の上端には腰当てクッション体１６が調整ねじ１７によって高さ調整可能に設けられている。
【００１８】
一対の縦部材１４の上部背面には中空状の支持短管１８がそれぞれ軸線を水平にして設けられている。一対の支持短管１８にはパイプ材をＬ字状に曲成した一対の肘掛け体１９の一端部がそれぞれ回転可能に支持されている。それによって、一対の肘掛け体１９は上記支持短管１８に支持された一端部を支点として図１（ｂ）に実線で示す倒伏位置から矢印で示す上昇方向に回動させることができるようになっている。
【００１９】
上記一対の縦部材１４の中途部には支持杆２１が座部体７の幅方向外方に向かって固着されている。一対の支持杆２１は、一対の肘掛け体１９を水平に倒伏させた状態で、上記支持杆２１に当たって保持されるようになっている。また、一対の支持杆２１は起立方向に回動させると、垂直よりもやや後方に倒伏した位置で回動が阻止されて保持されるようになっている。
【００２０】
上記第２の上下可動体４の上部両側には、パイプ材を側面形状がＬ字状で、平面形状がＵ字状に曲成した取付け部材２３が両端部を固定して設けられている。図５に示すように、上記第２の上下可動体４の前面の下部に位置する上記取付け部材２３の他端部、つまり取付け部材２３のＵ字状に形成された部分の中間部には取付けパイプ２４が回転可能に外嵌されている。
【００２１】
上記取付けパイプ２４には平面形状がコ字状で、側面形状がくの字状に曲成された足載せ用パイプ２５の両端部（基端部）が固着されている。図４（ａ），（ｂ）に示すように、上記足載せ用パイプ２５の先端部には板状の足載せ体２６が幅方向に沿って架設されている。この足載せ体２６の上面には突起を有するゴムシートなどの滑り止めシート２６ａが貼着されている。
【００２２】
図４（ａ），（ｂ）と図５に示すように、上記保持パイプ２５の両端部には周方向に約１６０度の範囲でガイド溝２８が形成されている。このガイド溝２８には上記取付け部材２３に螺合されたねじ２９が挿入されている。保持パイプ２５を回動させると、その回動方向に応じて上記ガイド溝２８の一端或いは他端に上記ねじ２９が当たり、その位置で足載せ用パイプ２５の回転が阻止される。
【００２３】
それによって、上記足載せ体２６は、図４（ａ）に示すように水平に保持された倒伏位置と、図４（ｂ）に示すように上方に回動した起上位置とで保持されるようになっている。
【００２４】
図５に示すように、上記一対の脚部材２の両端部が外方に向かって湾曲された湾曲部２ａに形成されているとことで、上記足載せ体２６を水平な倒伏位置に保持すると、この足載せ体２６の幅方向両端部と湾曲部２ａの内面との間に空間部３１が形成される。この空間部３１は利用者の足が入り込む大きさに設定されている。
【００２５】
それによって、座部体７に着座した利用者が立つときに、足載せ体２６に載置した足をその足載せ体２６の側方の空間部３１に降ろすことができる。つまり、脚が不自由で、座部体７から下りるときに、足を前方に大きく踏み出すことができないような利用者の場合、足を足載せ体２６の側方に降ろしてから立ち上がることが可能となる。
【００２６】
図１（ａ），（ｂ）に示すように、上記取付け部材２３の上記座部体７の下方に位置する端部には、ストッパピン３３が先端部を上記取付け部材２３の径方向上方に突出させて着脱可能にねじ込まれている。上記座部体７の後端部の下面には係合片３４が設けられている。上記係合片３４は、座部体７を図１（ａ）、（ｂ）に示すように正面を向いた状態から反時計方向に２７０度或いは時計方向に９０度回転させることで、上記ストッパピン３３に係合する。
【００２７】
それによって、座部体７が無制限に回転するのが阻止されるから、上記基体１内に設けられた図示しないエレベータ機構と、このエレベータ機構を操作するリモートコントローラを結ぶコード（図示せず）が座部体７や第１、第２の上下可動体３，４などに巻きつくのを防止できるようになっている。
【００２８】
このように構成された昇降用椅子によって利用者がたとえば高位置の上がり床Ｙから低位置の土間Ｘに移動する場合、図３に示すように座部体７を上がり床Ｙから利用者が着座できる高さまで上昇させる。
【００３０】
その状態で、利用者が座部体７に着座して足載せ体２５に足を載せたならば、座部体７を図１に示すように下降させる。それによって、座部体７に着座した利用者は足載せ体２５から足を降ろし、自力或いは介助者の介助で立ち上がったり、土間Ｘにある車椅子（図示せず）に乗るなどのことができる。
【００３１】
なお、利用者が上がり床Ｙから座部体７に着座し、座部体７を利用者が土間Ｘに降りることができる高さに下降させたならば、座部体７を側方或いは後方に回転させてもよい。このとき、足載せ体２５は座部体７とともに回転しないから、利用者の足を足載せ体２５から降ろしておく。
【００３２】
上記足載せ体２５の幅方向両側には、基体１を支持した脚部材２の両端部が外方に向かって湾曲した湾曲部２ａに形成されていて、座部体７を下降させると足載せ体２６の幅方向両側と脚部材２の端部との間に空間部３１が形成される。
【００３３】
そのため、利用者が座部体７から降りるとき、足を前に大きく踏み出せなくとも、足載せ体２５の側方の空間部３１に降ろすことができるから、脚が不自由な利用者であっても、座部体７から降り易くなる。
【００３４】
上記足載せ体２５は回動可能に設けられている。そのため、利用者が座部体７に座るときには、上記足載せ体２５を上方向に回動させて起上位置に保持しておけば、利用者は足載せ体２５によって邪魔されることなく、臀部を座部体７に十分に近付けてから着座することができる。そして、利用者が座部体７に着座した後、足載せ体２５を倒伏位置に回動させて足を載せれば、座部体７を上昇させたり、回転させたときに利用者は足を土間Ｘと上がり床７との段差部などにぶつけるようなことがない。
【００３５】
背凭れ１３に設けられた一対の肘掛け体１９は、それぞれ回動可能であって、水平な位置で保持可能となっている。そのため、利用者が座部体７に着座したときには上記肘掛け体１９を水平に倒伏させて保持すれば、利用者が肘を載せて利用したり、座部体７の側方から利用者が落ちるのを防止することができる。
【００３６】
利用者が座部体７に座ったり、立つときには上記肘掛け体１９を上昇させれば、邪魔になることがない。一対の肘掛け体１９は別々に回動可能となっているから、座部体７の一方の側方から着座したり、立ち上がるときにはその一方の肘掛け体１９だけを上昇させればよい。
【００３７】
上記一実施の形態では低位置と高位置として土間と上がり床を例に挙げ、これらの間を昇り降りする場合について説明したが、低位置と高位置としては土間と上がり床に限られず、他の段差部であっても、この発明の昇降用椅子を適用することができる。
【００３８】
また、基体に第１の可動体と第２の可動体を設けたが、可動体の数は２つに限られず、１つ或いは３つ以上であってもよく、要は必要とする最大と最小の高さに応じて高さ調整できる構造であればよい。
【図面の簡単な説明】
【００３９】
【図１】この発明の一実施の形態を示し、（ａ）は座部体が下降した状態の昇降用椅子の正面図、（ｂ）は同じく側面図。
【図２】座部体が下降した昇降用椅子の背面図。
【図３】座部体を上昇させた昇降用椅子の側面図。
【図４】（ａ）は足載せ体を倒伏させた状態を示す側面図、（ｂ）は同じく起立させた状態を示す側面図。
【図５】足載せ体を倒伏させた状態の斜視図。
【図６】足載せ体を起立させた状態の斜視図。
【符号の説明】
【００４０】
１…基体、２…脚部材、２ａ…湾曲部、３…第１の上下可動体、４…第２の上下可動体、７…座部体、２３…取付け部材、２６…足載せ体、３１…空間部。
【図１】
0004751682.tif 000002
【図２】
0004751682.tif 000003
【図３】
0004751682.tif 000004
【図４】
0004751682.tif 000005
【図５】
0004751682.tif 000006
【図６】
0004751682.tif 000007